(57)【特許請求の範囲】
【請求項１】
配置孔が形成され、記録媒体が載置されるプラテンと、
上部が前記配置孔を通じて前記プラテンの上方に露出するように前記プラテンに設けられ、前記記録媒体を所定の第１の方向に搬送するグリッドローラと、
前記プラテンの下方において、前記プラテンと共に仕切られた空間を形成する空間形成部材と、
前記空間内に位置し、前記グリッドローラにおける上部以外の部位を前記プラテンと共に囲む囲み部材と、
前記空間のうち前記プラテンと前記囲み部材とによって囲まれた空間を除いた外空間の空気を吸引する吸引装置と、
を備え、
前記プラテンには、前記配置孔よりも前記第１の方向の下流側に位置する複数の第１吸引孔と、前記配置孔よりも前記第１の方向の上流側に位置する複数の第２吸引孔とが形成され、
前記第１吸引孔および前記第２吸引孔は、前記外空間に連通している、媒体搬送装置。
【請求項２】
前記外空間は、複数の区切り部材によって複数の空間である複数の分割空間に区切られ、
前記吸引装置は、複数の前記分割空間に対して１つずつ設けられている、請求項１に記載された媒体搬送装置。
【請求項３】
平面視において、前記第１の方向と直交する方向を第２の方向としたとき、
前記分割空間は、前記第２の方向に並んでいる、請求項２に記載された媒体搬送装置。
【請求項４】
前記区切り部材は、スポンジによって形成されている、請求項２または３に記載された媒体搬送装置。
【請求項５】
前記第１の方向において、下流側を前側、上流側を後側としたとき、
前記空間形成部材は、
前記プラテンの下面から下方に延びた前壁と、
前記プラテンの下面から下方に延び、前記前壁の後方に位置する後壁と、
前記プラテンの下面から下方に延び、前端が前記前壁の左端と連続し、後端が前記後壁の左端と連続した左壁と、
前記プラテンの下面から下方に延び、前端が前記前壁の右端と連続し、後端が前記後壁の右端と連続した右壁と、
前記前壁、前記後壁、前記左壁および前記右壁のそれぞれの下端と連続した底壁と、
を有している、請求項１から４までの何れか一つに記載された媒体搬送装置。
【請求項６】
前記囲み部材は、
前記グリッドローラよりも前方、かつ、前記前壁よりも後方に配置され、前記プラテンの下面から下方に延びた前板と、
前記グリッドローラよりも後方、かつ、前記後壁よりも前方に配置され、前記プラテンの下面から下方に延びた後板と、
前記前板と前記後板との間であって、前記底壁よりも上方に配置され、前端が前記前壁の下端と連続し、後端が前記後壁の下端と連続した底板と、
を有し、
前記第１吸引孔と前記第２吸引孔とは、前記外空間のうち前記底壁と前記底板との間の空間によって連通している、請求項５に記載された媒体搬送装置。
【請求項７】
平面視において、前記プラテンのうち前記前板と前記後板との間の部位には、前記第１吸引孔および前記第２吸引孔が形成されていない、請求項６に記載された媒体搬送装置。
【請求項８】
前記第１吸引孔は、平面視において、前記プラテンのうち前記前板よりも前方であって、前記前壁よりも後方の部位に形成され、
前記第２吸引孔は、平面視において、前記プラテンのうち前記後板よりも後方であって、前記後壁よりも前方の部位に形成されている、請求項６または７に記載された媒体搬送装置。
【請求項９】
前記吸引装置は、前記外空間の空気を吸引する吸引部を備え、
前記空間形成部材の前記底壁には、前記吸引部が配置される吸引配置孔が形成され、
前記吸引装置は、前記吸引部が前記吸引配置孔に設けられるようにして、前記底壁の下面に取り付けられている、請求項５から８までの何れか一つに記載された媒体搬送装置。
【請求項１０】
前記吸引装置は、平面視において、前記グリッドローラよりも前記第１の方向の下流側に配置されている、請求項１から９までの何れか一つに記載された媒体搬送装置。
【請求項１１】
前記記録媒体は、平板状の媒体である、請求項１から１０までの何れか一つに記載された媒体搬送装置。
【請求項１２】
前記配置孔は、前記第１吸引孔および前記第２吸引孔よりも開口面積が大きい、請求項１から１１までの何れか一つに記載された媒体搬送装置。
【請求項１３】
前記囲み部材は、金属によって形成されている、請求項１から１２までの何れか一つに記載された媒体搬送装置。
【請求項１４】
請求項１から１３までの何れか一つに記載された媒体搬送装置と、
前記プラテンの上方に配置され、下方に向かってインクを吐出する記録ヘッドと、
を備えた、印刷装置。
【発明の詳細な説明】
【技術分野】
【０００１】
本発明は、媒体搬送装置およびそれを備えた印刷装置に関する。
【背景技術】
【０００２】
従来から、記録媒体に印刷を行う印刷装置が知られている。このような印刷装置として、例えば、特許文献１に記載された画像形成装置が知られている。特許文献１では、画像形成装置は、記録媒体が載置されるプラテンと、プラテンに設けられ、記録媒体を搬送方向に搬送するグリッドローラと、空気を吸引することで記録媒体をプラテンに密着させる吸引ファンとを備えている。プラテンには、平面視において、グリッドローラよりも搬送方向の上流側に形成された空気吸引孔と、平面視において、グリッドローラよりも搬送方向の下流側に形成された空気排出孔とが形成されている。吸引ファンは、空気吸引孔からプラテン上の空気を吸引する。そして、空気吸引孔から吸引された空気は、吸引ファンによって空気排出孔から排出される。
【０００３】
このことによって、記録媒体をプラテンに密着させながら搬送方向に搬送することができる。記録媒体をプラテンに密着させることによって、記録媒体に画像をより正確に印刷することができる。
【先行技術文献】
【特許文献】
【０００４】
【特許文献１】特開２０００−２４６９８３号公報
【発明の概要】
【発明が解決しようとする課題】
【０００５】
上述したような画像形成装置では、プラテンにおける空気吸引孔が形成されている部位に記録媒体が載置されている場合には、記録媒体を密着させながら搬送方向に搬送することができる。しかしながら、プラテンにおける空気吸引孔が形成されている部位に記録媒体が載置されない場合には、記録媒体をプラテンに密着させながら搬送することができない。また、空気吸引孔が形成されている部位に配置された記録媒体をプラテンに密着させようとすると、吸引力を増加させるために、吸引ファンの数を増やすこと、または、吸引ファンの吸引力を増加させる必要が生じる。
【０００６】
本発明はかかる点に鑑みてなされたものであり、その目的は、吸引力を増加させることなく、プラテンに載置された記録媒体がプラテンに密着しながら搬送されることが可能な媒体搬送装置およびそれを備えた印刷装置を提供することである。
【課題を解決するための手段】
【０００７】
本発明の媒体搬送装置は、プラテンと、グリッドローラと、空間形成部材と、囲み部材と、吸引装置とを備えている。前記プラテンには、配置孔が形成され、記録媒体が載置される。前記グリッドローラは、上部が前記配置孔を通じて前記プラテンの上方に露出するように前記プラテンに設けられ、前記記録媒体を所定の第１の方向に搬送する。前記空間形成部材は、前記プラテンの下方において、前記プラテンと共に仕切られた空間を形成する。前記囲み部材は、前記空間内に位置し、前記グリッドローラにおける上部以外の部位を前記プラテンと共に囲む。前記吸引装置は、前記空間のうち前記プラテンと前記囲み部材とによって囲まれた空間を除いた外空間の空気を吸引する。前記プラテンには、前記配置孔よりも前記第１の方向の下流側に位置する複数の第１吸引孔と、前記配置孔よりも前記第１の方向の上流側に位置する複数の第２吸引孔とが形成されている。前記第１吸引孔および前記第２吸引孔は、前記外空間に連通している。
【０００８】
上記媒体搬送装置によれば、吸引装置が外空間の空気を吸引することによって、第１吸引孔、第２吸引孔、および、外空間に吸引装置による吸引力が与えられる。よって、本発明では、グリッドローラ、および、グリッドローラよりも第１の方向の下流側のプラテンの部位にのみ記録媒体の全体が載置されている場合、第１吸引孔に吸引装置の吸引力が与えられることによって、記録媒体はプラテンに密着しながら搬送される。一方、グリッドローラ、および、グリッドローラよりも第１の方向の上流側のプラテンの部位にのみ記録媒体の全体が載置されている場合、第２吸引孔に吸引装置の吸引力が与えられることによって、記録媒体はプラテンに密着しながら搬送される。したがって、記録媒体がプラテンのどの部位に載置されているかに関わらず、記録媒体をプラテンに密着させながら搬送することができる。また、上記媒体搬送装置によれば、グリッドローラの上部をプラテンから上方に露出させるために、プラテンには、比較的広い配置孔が形成されている。囲み部材は、グリッドローラにおける上部以外の部位をプラテンと共に囲んでいる。比較的広い配置孔は、囲み部材によって囲まれている。よって、配置孔には、吸引装置による吸引力が与えられない。したがって、第１吸引孔および第２吸引孔に吸引力が与えられることで、記録媒体をプラテンに確実に密着させることができる。
【０００９】
本発明の好ましい一態様によれば、前記外空間は、複数の区切り部材によって複数の空間である複数の分割空間に区切られる。前記吸引装置は、複数の前記分割空間に対して１つずつ設けられている。
【００１０】
上記態様によれば、分割空間ごとに吸引装置が設けられているため、記録媒体が載置されていないプラテンの部位の真下に位置する分割空間に設けられた吸引装置を停止させることができる。記録媒体が載置されているプラテンの部位の真下に位置する分割空間に設けられた吸引装置のみを作動させることで、記録媒体をプラテンに密着させながら搬送することができる。したがって、吸引装置が使用する電力を抑えることができる。
【００１１】
本発明の好ましい他の一態様によれば、平面視において、前記第１の方向と直交する方向を第２の方向としたとき、前記分割空間は、前記第２の方向に並んでいる。
【００１２】
上記態様によれば、第２の方向とは、記録媒体の幅方向である。よって、記録媒体の幅に応じて、作動させる吸引装置と停止させる吸引装置とを選択することができる。
【００１３】
本発明の好ましい他の一態様によれば、前記区切り部材は、スポンジによって形成されている。
【００１４】
上記態様によれば、プラテンの下方に形成された外空間を区切る際、区切り部材を最適な形状に形作ることが容易にできる。
【００１５】
本発明の好ましい他の一態様によれば、前記第１の方向において、下流側を前側、上流側を後側とする。前記空間形成部材は、前壁と、後壁と、左壁と、右壁と、底壁とを有している。前記前壁は、前記プラテンの下面から下方に延びている。前記後壁は、前記プラテンの下面から下方に延び、前記前壁の後方に位置している。前記左壁は、前記プラテンの下面から下方に延び、前端が前記前壁の左端と連続し、後端が前記後壁の左端と連続している。前記右壁は、前記プラテンの下面から下方に延び、前端が前記前壁の右端と連続し、後端が前記後壁の右端と連続している。前記底壁は、前記前壁、前記後壁、前記左壁および前記右壁のそれぞれの下端と連続している。
【００１６】
上記態様によれば、プラテンの下方の空間を、プラテンと、前壁と、後壁と、左壁と、右壁と、底壁とによって仕切ることで形成することができる。
【００１７】
本発明の好ましい他の一態様によれば、前記囲み部材は、前板と、後板と、底板とを有している。前記前板は、前記グリッドローラよりも前方、かつ、前記前壁よりも後方に配置され、前記プラテンの下面から下方に延びている。前記後板は、前記グリッドローラよりも後方、かつ、前記後壁よりも前方に配置され、前記プラテンの下面から下方に延びている。前記底板は、前記前板と前記後板との間であって、前記底壁よりも上方に配置され、前端が前記前壁の下端と連続し、後端が前記後壁の下端と連続している。前記第１吸引孔と前記第２吸引孔とは、前記外空間のうち前記底壁と前記底板との間の空間によって連通している。
【００１８】
上記態様によれば、第１吸引孔と第２吸引孔とは、外空間のうち底壁と底板との間の空間によって互いに連通している。そのため、吸引装置によって第１吸引孔と第２吸引孔の両方に吸引力を与え、グリッドローラの上流側および下流側に位置する記録媒体をプラテンに確実に密着させることができる。
【００１９】
本発明の好ましい他の一態様によれば、平面視において、前記プラテンのうち前記前板と前記後板との間の部位には、前記第１吸引孔および前記第２吸引孔が形成されていない。
【００２０】
上記態様によれば、プラテンのうち前板と後板との間の部位の下方にはグリッドローラが囲み部材によって囲まれている。そのため、プラテンのうち前板と後板との間の部位の下方近傍では、吸引装置によって空気は吸引されない。よって、吸引装置によって空気が吸引されない第１吸引孔および第２吸引孔は形成されないようにすることができる。
【００２１】
本発明の好ましい他の一態様によれば、前記第１吸引孔は、平面視において、前記プラテンのうち前記前板よりも前方であって、前記前壁よりも後方の部位に形成されている。前記第２吸引孔は、平面視において、前記プラテンのうち前記後板よりも後方であって、前記後壁よりも前方の部位に形成されている。
【００２２】
上記態様によれば、第１吸引孔および第２吸引孔に吸引装置の吸引力を与えることができる。
【００２３】
本発明の好ましい他の一態様によれば、前記吸引装置は、前記外空間の空気を吸引する吸引部を備えている。前記空間形成部材の前記底壁には、前記吸引部が配置される吸引配置孔が形成されている。前記吸引装置は、前記吸引部が前記吸引配置孔に設けられるようにして、前記底壁の下面に取り付けられている。
【００２４】
上記態様によれば、吸引部がプラテン側に向くように吸引装置が配置されている。よって、吸引装置は外空間の空気をより確実に吸引することができるため、記録媒体をプラテンに密着させ易くすることができる。
【００２５】
本発明の好ましい他の一態様によれば、前記吸引装置は、平面視において、前記グリッドローラよりも前記第１の方向の下流側に配置されている。
【００２６】
上記態様によれば、吸引装置は、外空間のうち第１吸引孔の下方に位置する空間の空気を吸引することで、第１吸引孔に吸引力を与えることができる。一方、吸引装置は、外空間のうち第２吸引孔の下方に位置する空間、および、第１吸引孔および第２吸引孔を連通する空間の空気を吸引することで、第２吸引孔に吸引力を与えることができる。したがって、１つの吸引装置で、第１吸引孔と第２吸引孔とに吸引力を与えることができる。
【００２７】
本発明の好ましい他の一態様によれば、前記記録媒体は、平板状の媒体である。
【００２８】
上記態様によれば、平板状の記録媒体をプラテンに密着させながら搬送することができる。
【００２９】
本発明の好ましい他の一態様によれば、前記配置孔は、前記第１吸引孔および前記第２吸引孔よりも開口面積が大きい。
【００３０】
上記態様によれば、配置孔が第１吸引孔および第２吸引孔よりも大きいため、仮に、配置孔に吸引力を与えることで記録媒体がプラテンに密着するとき、配置孔に沿って吸引方向に記録媒体が凹むおそれがある。その凹みによって、記録媒体を円滑に搬送することができないおそれがある。しかし、上記態様では、グリッドローラはプラテンと囲み部材とによって囲まれているため、グリッドローラの上部が挿入される配置孔に、吸引装置による吸引力は与えられない。よって、記録媒体がプラテンに密着するとき、配置孔に沿って吸引方向に記録媒体が凹むことを防ぐことができる。その結果、記録媒体を円滑に搬送することができる。
【００３１】
本発明の好ましい他の一態様によれば、前記囲み部材は、金属によって形成されている。
【００３２】
上記態様によれば、囲み部材に隙間が生じにくくなるため、吸引装置の吸引力が配置孔に与えられるのを防ぐことができる。
【００３３】
本発明の印刷装置は、上述した何れかの媒体搬送装置と、前記プラテンの上方に配置され、下方に向かってインクを吐出する記録ヘッドとを備えている。
【００３４】
上記印刷装置によれば、上述した何れかに記載された媒体搬送装置を備えた印刷装置を提供することができる。
【発明の効果】
【００３５】
本発明によれば、プラテンに載置された記録媒体がプラテンに密着しながら搬送されることが可能な媒体搬送装置およびそれを備えた印刷装置を提供することができる。
【図面の簡単な説明】
【００３６】
【図１】実施形態に係る印刷装置の正面図である。
【図２】印刷装置の側面断面図である。
【図３】印刷装置の主要要素を示すブロック図である。
【図４】プラテンの平面図である。
【図５】図４のＶ−Ｖ線における断面図である。
【図６】プラテンの底面図である。
【図７】図４のＶＩＩ−ＶＩＩ線における断面図である。
【図８】グリッドローラの模式図である。
【図９】媒体搬送装置の平面図である。
【発明を実施するための形態】
【００３７】
以下、本発明の実施形態に係る媒体搬送装置を備えた印刷装置について説明する。ここで説明される実施形態は、当然ながら特に本発明を限定することを意図したものではない。また、同じ作用を奏する部材・部位には同じ符号を付し、重複する説明は省略または簡略化する。
【００３８】
本実施形態に係る印刷装置について説明する。図１は、本実施形態に係る印刷装置１の正面図である。図２は、印刷装置１の側面断面図である。図３は、印刷装置１の主要要素を示すブロック図である。なお、図１および図２では、印刷装置１のうち、上部、すなわち、プラテン３１およびその周辺の部位のみを図示し、その他の部位は適宜省略している。例えば、図１および図２では、印刷装置１の下部に配置された脚などは省略されている。
【００３９】
以下の図面において、符号Ｆ、Ｒｒ、ＬおよびＲは、それぞれ前、後、左および右を示している。ただし、これらは説明の便宜上の方向に過ぎず、印刷装置１の設置態様を何ら限定するものではない。また、符号Ｙは主走査方向を示している。ここでは、主走査方向Ｙとは、左右方向のことである。符号Ｘは、平面視において、主走査方向Ｙと直交する副走査方向を示している。ここでは、副走査方向Ｘとは、前後方向のことである。ただし、主走査方向Ｙおよび副走査方向Ｘの各方向は特に限定されない。主走査方向Ｙおよび副走査方向Ｘは、印刷装置１の形態などに応じて適宜に設定可能である。なお、本実施形態では、副走査方向Ｘにおける後から前に向かう搬送方向Ｘ１が本発明の「第１の方向」に対応し、主走査方向Ｙが本発明の「第２の方向」に対応する。
【００４０】
図１に示すように、印刷装置１は、インクジェット式のプリンタである。しかし、印刷装置１は、インクジェット式のプリンタに限定されない。図２に示すように、印刷装置１は、記録媒体５に印刷を行うものである。ここでは、記録媒体５は、平板状の媒体であり、例えば剛性が高い材質で形成された媒体である。ここで、「剛性が高い材質」とは、撓みにくい材質であり、例えば、ロール状に巻くことができない材質のことである。記録媒体５は、例えば、プラスチックまたはガラスなどによって形成された媒体である。ただし、記録媒体５は、段ボールであってもよい。また、記録媒体５は、ロール紙などのロール状の媒体であってもよい。
【００４１】
印刷装置１は、ガイドレール１０と、キャリッジ１４と、記録ヘッド１５と、媒体搬送装置３０を備えている。図１に示すように、ガイドレール１０は、主走査方向Ｙに延びている。図２に示すように、ガイドレール１０の右端部分の近傍には、駆動プーリ１１が配置されている。ガイドレール１０の左端部分の近傍には、従動プーリ（図示せず）が配置されている。駆動プーリ１１と上記従動プーリとには、無端状のベルト１３（図１参照）が巻き掛けられている。ここでは、図３に示すように、駆動プーリ１１には、サーボモータ１１ａが接続されている。このサーボモータ１１ａが駆動すると駆動プーリ１１が回転し、駆動プーリ１１と上記従動プーリとの間においてベルト１３が走行する。
【００４２】
図２に示すように、キャリッジ１４は、ガイドレール１０に係合している。図示は省略するが、キャリッジ１４は、ベルト１３に取り付けられている。そのため、キャリッジ１４は、ベルト１３の走行に従って、ガイドレール１０に沿って主走査方向Ｙに移動する。
【００４３】
記録ヘッド１５は、後述するプラテン３１に向かってインクを吐出するものである。記録ヘッド１５は、下方に向かってインクを吐出する。記録ヘッド１５は、プラテン３１の上方に配置されている。ここでは、記録ヘッド１５の後部には、キャリッジ１４が取り付けられている。記録ヘッド１５は、キャリッジ１４と共に、ガイドレール１０に沿って主走査方向Ｙに移動する。ここでは、図示は省略するが、記録ヘッド１５は、下方に開口した複数のノズルを備えている。これらノズルからインクが吐出される。インクの種類は特に限定されない。例えば、記録ヘッド１５から吐出されるインクは、紫外線が照射されると硬化するインク（いわゆるＵＶインク）であってもよいし、溶剤インクであってもよい。
【００４４】
次に、本実施形態に係る媒体搬送装置３０について説明する。媒体搬送装置３０は、印刷装置１内に設けられている。媒体搬送装置３０は、平板状の記録媒体５を搬送する装置である。ここでは、媒体搬送装置３０は、搬送方向Ｘ１、すなわち、後から前に向かって記録媒体５を搬送する。本実施形態では、媒体搬送装置３０は、プラテン３１と、グリッドローラ３２と、ピンチローラ３３と、吸引装置３４と、第１駆動ローラ３５と、第２駆動ローラ３６と、第１従動ローラ３７と、第２従動ローラ３８とを備えている。
【００４５】
プラテン３１には、記録媒体５が載置される。記録媒体５への印刷は、プラテン３１上で行われる。ここでは、プラテン３１は、ガイドレール１０および記録ヘッド１５よりも下方に配置されている。図１に示すように、プラテン３１は、主走査方向Ｙに延びている。ここでは、図２に示すように、プラテン３１は、中央部材３１ａと、中央部材３１ａの前端に取り付けられた前側部材３１ｂと、中央部材３１ａの後端に取り付けられた後側部材３１ｃとから構成されている。プラテン３１の前側部材３１ｂは、前斜め下向きに傾斜している。プラテン３１の後側部材３１ｃは、後斜め下向きに傾斜している。
【００４６】
図４は、プラテン３１の平面図である。図４では、プラテン３１の前側部材３１ｂおよび後側部材３１ｃは省略されている。図４に示すように、プラテン３１には、複数の配置孔４１と、複数の第１吸引孔４２と、複数の第２吸引孔４３が形成されている。複数の配置孔４１は、それぞれグリッドローラ３２の上部が挿入される孔である。図４では、グリッドローラ３２は省略されている。複数の配置孔４１は、主走査方向Ｙに並ぶようにしてプラテン３１に形成されている。ここでは、隣り合う配置孔４１の間隔は等しいが、異なっていてもよい。ここでは、複数の配置孔４１は、平面視において、プラテン３１の中央部材３１ａの前後方向の中間位置よりも後側に形成されており、中間位置よりも少し後側に形成されている。配置孔４１の数は特に限定されないが、グリッドローラ３２の数と同じであることが好ましい。
【００４７】
第１吸引孔４２および第２吸引孔４３は、吸引装置３４によって吸われた空気が通る孔である。複数の第１吸引孔４２は、配置孔４１よりも搬送方向Ｘ１の下流側、すなわち、配置孔４１よりも前方におけるプラテン３１の部位（ここでは、中央部材３１ａの前部）に形成されている。複数の第２吸引孔４３は、配置孔４１よりも搬送方向Ｘ１の上流側、すなわち、配置孔４１よりも後方におけるプラテン３１の部位（ここでは、中央部材３１ａの後部）に形成されている。第１吸引孔４２および第２吸引孔４３は、配置孔４１よりも開口面積が小さい孔である。本実施形態では、「第１吸引孔４２の開口面積」とは、複数の第１吸引孔４２の開口面積の総和のことである。同様に、「第２吸引孔４３の開口面積」とは、複数の第２吸引孔４３の開口面積の総和のことであり、「配置孔４１の開口面積」とは、複数の配置孔４１の開口面積の総和のことである。なお、第１吸引孔４２および第２吸引孔４３は、配置孔４１よりも開口面積が大きくてもよい。また、第１吸引孔４２、第２吸引孔４３、および配置孔４１の開口面積は、それぞれ同じであってもよい。ここでは、第１吸引孔４２の数は、第２吸引孔４３の数よりも多い。しかし、第１吸引孔４２の数は、第２吸引孔４３の数よりも少なくてもよいし、第２吸引孔４３の数と同じであってもよい。第１吸引孔４２の大きさと第２吸引孔４３の大きさとは、それぞれ同じであってもよいし、異なっていてもよい。
【００４８】
図２に示すように、グリッドローラ３２は、記録媒体５を搬送方向Ｘ１に搬送するローラである。図５は、図４のＶ−Ｖ線における断面図である。図６は、プラテン３１の底面図であり、一部が切り欠かれた図である。図６では、空間形成部材６０の底壁６５が省略されている。図７は、図４のＶＩＩ−ＶＩＩ線における断面図である。図５に示すように、グリッドローラ３２は、プラテン３１に設けられている。詳述すると、グリッドローラ３２は、その上部がプラテン３１の配置孔４１を通じてプラテン３１の上方に露出するようにしてプラテン３１に設けられている。図８は、グリッドローラ３２の模式図である。図８に示すように、グリッドローラ３２は、複数設けられている。本実施形態では、複数のグリッドローラ３２が主走査方向Ｙに並ぶように配置されている。複数のグリッドローラ３２は、互いが等間隔になるように配置されている。ここでは、複数のグリッドローラ３２は、主走査方向Ｙに延びた軸４５に設けられている。図５に示すように、軸４５は、プラテン３１の下方に配置されている。軸４５が回転すると、複数のグリッドローラ３２は、軸４５と一体になって回転する。本実施形態では、図３に示すように、軸４５には、駆動モータ３２ａが接続されている。駆動モータ３２ａが駆動することによって、複数のグリッドローラ３２は軸４５を介して回転する。
【００４９】
図２に示すように、ピンチローラ３３は、グリッドローラ３２と共に記録媒体５を挟むローラである。ピンチローラ３３は、グリッドローラ３２の上方に配置されている。図示は省略するが、ピンチローラ３３の数は、複数であり、グリッドローラ３２の数と同じである。ピンチローラ３３は、いわゆる従動ローラである。ピンチローラ３３は、上下方向に移動可能に構成されている。ここでは、図３に示すように、ピンチローラ３３には、上下移動用のモータ３３ａが接続されている。例えば、ピンチローラ３３とモータ３３ａとの間には、カム機構（図示せず）が設けられている。モータ３３ａが駆動することによって、ピンチローラ３３は、上記カム機構を介して上下方向に移動する。ただし、ピンチローラ３３は、手動によって上下方向に移動可能に構成されていてもよい。ここでは、ピンチローラ３３が下方に移動すると、プラテン３１に載置された記録媒体５は、ピンチローラ３３およびグリッドローラ３２によって挟まれる。このとき、グリッドローラ３２が回転すると、記録媒体５はピンチローラ３３とグリッドローラ３２とに挟まれた状態で搬送方向Ｘ１に搬送される。
【００５０】
図５に示すように、本実施形態では、プラテン３１（ここでは、中央部材３１ａ）の下方には、空間５１が設けられている。以下の説明において、プラテン３１の中央部材３１ａのことを単にプラテン３１と称している。この空間５１は、プラテン３１と、空間形成部材６０とによって仕切られた空間である。ここで、空間形成部材６０は、前壁６１と、後壁６２と、左壁６３（図７参照）と、右壁６４（図７参照）と、底壁６５を有している。前壁６１は、プラテン３１の下面の前部から下方に延びている。後壁６２は、プラテン３１の下面の後部から下方に延びている。後壁６２は、前壁６１の後方に位置している。図７に示すように、左壁６３は、プラテン３１の下面の左部から下方に延びている。図６に示すように、左壁６３の前端は前壁６１の左端と連続し、左壁６３の後端は後壁６２の左端と連続する。図７に示すように、右壁６４は、プラテン３１の下面の右部から下方に延びている。図６に示すように、右壁６４の前端は前壁６１の右端と連続し、右壁６４の後端は後壁６２の右端と連続する。図５に示すように、底壁６５は、前壁６１、後壁６２、左壁６３および右壁６４のそれぞれの下端と連続している。空間５１は、プラテン３１と、前壁６１と、後壁６２と、左壁６３と、右壁６４と、底壁６５とによって囲まれた空間である。なお、前壁６１と、後壁６２と、左壁６３と、右壁６４と、底壁６５との間に、隙間が形成され、上記隙間から空間５１内の空気が出入りしてもよい。空間形成部材６０には、空間５１と外部とが連通する隙間が形成されていてもよい。
【００５１】
なお、空間５１は、図５に示すように、後述する囲み部材７０によって、囲み部材７０の内側の空間と、囲み部材７０の外側の空間である外空間５１ａとに仕切られている。すなわち、外空間５１ａは、空間５１から囲み部材７０の内側の空間を除いた空間である。
【００５２】
本実施形態では、図６に示すように、外空間５１ａは、複数の区切り部材６７によって、複数の空間（以下、分割空間という。）５２ａ〜５２ｅに分割されている。これら区切り部材６７は、副走査方向Ｘに延びた部材であり、外空間５１ａを副走査方向Ｘで区切る部材である。ここでは、区切り部材６７は、空間形成部材６０の左壁６３および右壁６４と同様の形状をしている。区切り部材６７において、前端は前壁６１の後面と連続し、後端は後壁６２の前面と連続する。図７に示すように、区切り部材６７の上端は、プラテン３１の下面と連続し、区切り部材６７の下端は、底壁６５の上面と連続している。複数の区切り部材６７は、主走査方向Ｙに並ぶように配置されている。図６に示すように、各区切り部材６７は、底面視において、複数の配置孔４１のうち、隣り合う２つの配置孔４１の間に設けられている。区切り部材６７の材質は特に限定されないが、ここでは、区切り部材６７は、スポンジによって形成されている。ここでは、底面視において、隣り合う２つの区切り部材６７の間には、２つの配置孔４１およびグリッドローラ３２が配置されている。しかし、平面視において、隣り合う２つの区切り部材６７の間に配置される配置孔４１およびグリッドローラ３２の数は特に限定されない。
【００５３】
これら分割空間５２ａ〜５２ｅは、主走査方向Ｙに並んでいる。区切り部材６７によって区切られた分割空間５２ａ〜５２ｅの数は、特に限定されない。
【００５４】
本実施形態では、図５に示すように、プラテン３１の下方において、グリッドローラ３２は、プラテン３１と囲み部材７０によって囲まれている。詳しくは、複数のグリッドローラ３２および軸４５が一体となって、プラテン３１と囲み部材７０に囲まれている。囲み部材７０は、プラテン３１に取り付けられた部材であり、プラテン３１と別体である。しかし、囲み部材７０は、プラテン３１と一体であってもよい。ここでは、囲み部材７０は、前板７１と、後板７２と、底板７３を有している。前板７１、後板７２および底板７３は、金属によって形成された板であり、図６および図７に示すように、主走査方向Ｙに延びた板である。ただし、前板７１、後板７２および底板７３の材質は、金属に限定されず、例えば、プラスチックであってもよい。
【００５５】
図５に示すように、前板７１は、グリッドローラ３２および軸４５よりも前方、かつ、前壁６１よりも後方に配置されており、プラテン３１の下面から下方に向かって延びている。前板７１の上端は、プラテン３１の下面と連続している。後板７２は、グリッドローラ３２および軸４５よりも後方、かつ、後壁６２よりも前方に配置されており、プラテン３１の下面から下方に向かって延びている。ここでは、後板７２の上端は、プラテン３１の下面と連続している。
【００５６】
前板７１と後板７２との間に位置するプラテン３１の部位には、グリッドローラ３２の上部が挿入される配置孔４１が形成されているが、第１吸引孔４２および第２吸引孔４３は形成されていない。第１吸引孔４２は、前板７１よりも前方に位置するプラテン３１の部位に形成され、第２吸引孔４３は、後板７２よりも後方に位置するプラテン３１の部位に形成されている。
【００５７】
底板７３は、グリッドローラ３２および軸４５よりも下方に配置されている。底板７３は、配置孔４１の下方に配置されている。図６に示すように、底板７３は、底面視において、前板７１と、後板７２との間に配置されている。図５に示すように、底板７３の前端は、前板７１の下端と連続し、底板７３の後端は、後板７２の下端と連続している。
【００５８】
次に、空間形成部材６０と囲み部材７０との位置関係について説明する。囲み部材７０は、側面視において、空間形成部材６０の内部、すなわち、空間５１内に配置されている。具体的には、囲み部材７０は、空間形成部材６０の前壁６１よりも後方、後壁６２よりも前方、かつ、底壁６５よりも上方に配置されている。ここでは、底壁６５の上方に囲み部材７０の底板７３が位置している。底壁６５と底板７３との間には、吸引装置３４が吸引する空気が通る吸引通路５３が形成されている。吸引通路５３は、第１吸引孔４２と第２吸引孔４３とを連通している。吸引通路５３は、外空間５１ａのうち第１吸引孔４２の下方に位置する空間と、第２吸引孔４３の下方に位置する空間とを連通している。ここでは、吸引通路５３は、底壁６５と底板７３との間の空間に形成されているが、吸引通路５３の位置は特に限定されない。
【００５９】
吸引装置３４は、外空間５１ａの空気を吸引する装置である。吸引装置３４は、吸引力を外空間５１ａに与える装置である。そして、吸引装置３４の吸引力によって、プラテン３１に載置された記録媒体５はプラテン３１に引きつけられ、密着される。詳しくは、吸引装置３４は、プラテン３１に形成された複数の第１吸引孔４２および第２吸引孔４３、外空間５１ａに吸引力を与えて、外空間５１ａを負圧にすることで、記録媒体５をプラテン３１に密着させる装置である。吸引装置３４は、吸引部３４ａと、ファン３４ｂと、排出部３４ｃとを備えている。吸引部３４ａには、外空間５１ａの空気が通過する。吸引部３４ａは、上方に向かって開口している。吸引部３４ａは、プラテン３１に向かって開口している。ファン３４ｂは、吸引部３４ａを通じて外空間５１ａの空気を吸引装置３４内に吸引する。排出部３４ｃは、ファン３４ｂによって吸引された空気が外部へ排出されるために通過するものである。本実施形態では、排出部３４ｃは、下方に向かって開口しているが、開口する向きは特に限定されない。ここでは、図７に示すように、吸引装置３４は、プラテン３１の下方に複数設けられている。複数の吸引装置３４は、主走査方向Ｙに並ぶように配置されている。吸引装置３４の数は、区切り部材６７によって区切られた分割空間５２ａ〜５２ｅの数と同じ（本実施形態では、５つ）である。本実施形態では、空間形成部材６０の底壁６５には、吸引装置３４を設置するための吸引配置孔６８が複数形成されている。これら吸引配置孔６８は、平面視において、隣り合う区切り部材６７の間、左壁６３と最も左に位置する区切り部材６７との間、および、右壁６４と最も右に位置する区切り部材６７との間に、それぞれ１つずつ形成されている。ただし、吸引装置孔６８は、平面視において、隣り合う区切り部材６７の間、左壁６３と最も左に位置する区切り部材６７との間、および、右壁６４と最も右に位置する区切り部材６７との間のそれぞれに、複数形成されていてもよい。複数の吸引装置３４は、吸引を行う吸引部３４ａがそれぞれ吸引配置孔６８に取り付けられるようにして、底壁６５の下面に取り付けられている。
【００６０】
図２に示すように、第１駆動ローラ３５および第２駆動ローラ３６は、記録媒体５を搬送方向Ｘ１に搬送するローラである。図示は省略するが、第１駆動ローラ３５および第２駆動ローラ３６は、それぞれ主走査方向Ｙに延びたローラである。第１駆動ローラ３５は、プラテン３１よりも後方、すなわち、プラテン３１よりも搬送方向Ｘ１の上流側に設けられている。第２駆動ローラ３６は、プラテン３１よりも前方、すなわち、プラテン３１よりも搬送方向Ｘ１の下流側に設けられている。第１駆動ローラ３５において、左端部は、プラテン３１の左方に配置された左ガイド板８１Ｌに回転可能に支持され、右端部は、プラテン３１の右方に配置された右ガイド板８１Ｒ（図９参照）に回転可能に支持されている。第２駆動ローラ３６において、左端部は、プラテン３１の左方に配置された左ガイド板８２Ｌに回転可能に支持され、右端部は、プラテン３１の右方に配置された右ガイド板８２Ｒ（図９参照）に回転可能に支持されている。本実施形態では、図３に示すように、第１駆動ローラ３５には、駆動モータ３５ａが接続され、第２駆動ローラ３６には、駆動モータ３６ａが接続されている。駆動モータ３５ａ、３６ａがそれぞれ駆動することで、第１駆動ローラ３５、第２駆動ローラ３６は駆動する。ここでは、第１駆動ローラ３５および第２駆動ローラ３６の表面はゴム製である。このことによって、記録媒体５が第１駆動ローラ３５および第２駆動ローラ３６上で滑ることなく、記録媒体５を滑らかに搬送することができる。
【００６１】
第１従動ローラ３７および第２従動ローラ３８は、それぞれ第１駆動ローラ３５および第２駆動ローラ３６と共に、記録媒体５を搬送方向Ｘ１に搬送するローラである。図９に示すように、第１従動ローラ３７および第２従動ローラ３８は、それぞれ主走査方向Ｙに延びたローラである。図２に示すように、第１従動ローラ３７は、第１駆動ローラ３５の真上に配置されている。第２従動ローラ３８は、第２駆動ローラ３６の真上に配置されている。図９に示すように、第１従動ローラ３７において、左端部は、左ガイド板８１Ｌに回転可能に支持され、右端部は、右ガイド板８１Ｒに回転可能に支持されている。第２従動ローラ３８において、左端部は、左ガイド板８２Ｌに回転可能に支持され、右端部は、右ガイド板８２Ｒに回転可能に支持されている。記録媒体５は、第１駆動ローラ３５と第１従動ローラ３７に挟まれた状態、または、第２駆動ローラ３６と第２従動ローラ３８に挟まれた状態で搬送される。
【００６２】
本実施形態では、図３に示すように、印刷装置１は、制御装置８０を備えている。制御装置８０は、マイクロコンピュータからなっており、印刷装置１の内部に設けられている。制御装置８０は、ベルト１３が巻き掛けられた駆動プーリ１１に接続されたサーボモータ１１ａと、グリッドローラ３２に軸４５を介して接続された駆動モータ３２ａと、ピンチローラ３３に接続された上下移動用モータ３３ａと、第１駆動ローラ３５および第２駆動ローラ３６にそれぞれ接続された駆動モータ３５ａ、３６ａと、吸引装置３４と、記録ヘッド１５とを制御する。
【００６３】
制御装置８０は、サーボモータ１１ａを制御することで、駆動プーリ１１の駆動およびベルト１３（図１参照）の走行を制御する。制御装置８０は、駆動モータ３２ａを制御することで、グリッドローラ３２が記録媒体５を搬送することを制御する。制御装置８０は、モータ３３ａを制御することで、ピンチローラ３３の上下方向の移動を制御する。
【００６４】
また、制御装置８０は、駆動モータ３５ａを制御することで第１駆動ローラ３５の回転を制御し、かつ、駆動モータ３６ａを制御することで第２駆動ローラ３６の回転を制御することで、記録媒体５の搬送を制御する。このように、前後の第１駆動ローラ３５および第２駆動ローラ３６を駆動させることで、記録媒体５の上流端および下流端への印刷、いわゆる縁無し印刷が可能となる。しかし、前後の第１駆動ローラ３５および第２駆動ローラ３６の両方を駆動させず、何れか一方の駆動ローラのみを駆動させてもよい。
【００６５】
制御装置８０は、吸引装置３４を制御することで、記録媒体５をプラテン３１に密着させる。また、制御装置８０は、記録ヘッド１５のインクの吐出動作を制御する。
【００６６】
以上、本実施形態に係る媒体搬送装置３０を備えた印刷装置１について説明した。次に、媒体搬送装置３０が記録媒体５を搬送する動作について説明する。ここでは、記録媒体５は、第１駆動ローラ３５と第１従動ローラ３７とによって挟まれた状態である。このとき、駆動モータ３５ａが駆動して、第１駆動ローラ３５が回転することで、記録媒体５は、第１駆動ローラ３５と第１従動ローラ３７とに挟まれた状態で、搬送方向Ｘ１、すなわち、プラテン３１に向かって搬送される。その後、記録媒体５は、プラテン３１に載置される。このとき、記録媒体５は、プラテン３１に載置されている状態で記録ヘッド１５からインクが吐出されることによって印刷される。記録媒体５に印刷が行われているとき、吸引装置３４によって記録媒体５はプラテン３１に密着している。
【００６７】
ここでは、吸引装置３４によって、記録媒体５がプラテン３１に密着されることについて説明する。例えば、グリッドローラ３２よりも搬送方向Ｘ１の上流側のプラテン３１の部位に記録媒体５が載置されている場合、図５に示すように、第２吸引孔４３、分割空間（例えば、分割空間５２ａ）のうち囲み部材７０の後板７２と空間形成部材６０の後壁６２との間の空間、および、吸引通路５３に吸引装置３４の吸引力が与えられる。例えば、グリッドローラ３２よりも搬送方向Ｘ１の下流側のプラテン３１の部位に記録媒体５が載置されている場合、第１吸引孔４２、および、分割空間（例えば、分割空間５２ａ）のうち前板７１と前壁６１との間の空間に吸引装置３４の吸引力が与えられる。以上のように、吸引装置３４の吸引力を分割空間５２ａに与えることで、第１吸引孔４２および第２吸引孔４３を通じて、プラテン３１上に載置された記録媒体５は、プラテン３１に密着する。
【００６８】
なお、本実施形態では、グリッドローラ３２は、プラテン３１と囲み部材７０とによって囲まれている。そのため、グリッドローラ３２の上部が配置される配置孔４１には、吸引装置３４の吸引力は及ばない。
【００６９】
プラテン３１に載置された記録媒体５が平板状の媒体の場合、ピンチローローラ３３を上昇させ、記録媒体５は、グリッドローラ３２上に載置された状態で、プラテン３１に密着している。なお、記録媒体５がロール状の媒体の場合、記録媒体５は、グリッドローラ３２とピンチローラ３３とに挟まれた状態で、プラテン３１に密着している。この状態で、駆動モータ３２ａが駆動し、グリッドローラ３２が回転することで、記録媒体５は、図２に示すように、搬送方向Ｘ１に搬送される。その後、グリッドローラ３２によって搬送された記録媒体５は、第２駆動ローラ３６に到達する。このとき、記録媒体５は、第２駆動ローラ３６と第２従動ローラ３８とによって挟まれる。挟まれた記録媒体５は、駆動モータ３６ａが駆動して第２駆動ローラ３６が回転することで、更に搬送方向Ｘ１に搬送される。このようにして、記録媒体５は、プラテン３１に載置されている場合、プラテン３１に密着しながら搬送方向Ｘ１に搬送される。
【００７０】
以上、本実施形態では、記録媒体５がプラテン３１のどの部位に載置されているかに関わらず、記録媒体５をプラテン３１に密着させながら搬送方向Ｘ１に搬送することができる。記録媒体５をプラテン３１に密着させることができるため、記録媒体５への印刷時、記録媒体５がプラテン３１から浮き上がることを防ぐことができる。したがって、記録媒体５がプラテン３１から浮き上がることに起因して、印刷が失敗することを防止することができる。また、本実施形態によれば、グリッドローラ３２の上部をプラテン３１から上方に露出させるために、プラテン３１には、比較的広い（本実施形態では、第１吸引孔４２および第２吸引孔４３よりも広い）配置孔４１が形成されている。囲み部材７０は、グリッドローラ３２における上部以外の部位をプラテン３１と共に囲んでいる。よって、比較的広い配置孔４１は、囲み部材７０によって囲まれている。よって、配置孔４１には、吸引装置３４による吸引力が与えられない。したがって、第１吸引孔４２および第２吸引孔４３に吸引力が与えられることで、記録媒体５をプラテン３１に確実に密着させることができる。
【００７１】
本実施形態では、図５に示すように、吸引装置３４がプラテン３１の下方の分割空間（例えば、分割空間５２ａ）の空気を吸引することによって、第１吸引孔４２に吸引力を与えることができる。ここでは、分割空間５２ａ内において、底板７３と底壁６５との間には、吸引通路５３が形成されている。このことによって、吸引装置３４は、吸引通路５３を通じて第２吸引孔４３に吸引力を与えることができる。したがって、分割空間５２ａ内において、１つの吸引装置３４で、第１吸引孔４２と第２吸引孔４３とに吸引力を与えることができる。
【００７２】
本実施形態では、図４に示すように、配置孔４１は、第１吸引孔４２および第２吸引孔４３よりも開口面積が大きい。仮に、配置孔４１に吸引力を与えることで記録媒体５がプラテン３１に密着するような構成の場合、配置孔４１の形状に沿って吸引方向に記録媒体５が凹むおそれがある。その凹みによって、印刷に失敗することがあり得ると共に、記録媒体５を円滑に搬送することが困難なことがあり得る。しかし、本実施形態では、図５に示すように、グリッドローラ３２はプラテン３１と囲み部材７０とによって囲まれているため、配置孔４１に吸引力は与えられない。よって、記録媒体５がプラテン３１に密着するとき、配置孔４１に沿って吸引方向に記録媒体５が凹むことを防ぐことができる。その結果、記録媒体５を円滑に搬送することができる。
【００７３】
本実施形態では、図７に示すように、プラテン３１の下方に形成された外空間５１ａは、区切り部材６７によって複数の分割空間５２ａ〜５２ｅに区切られている。吸引装置３４は、複数の分割空間５２ａ〜５２ｅごとに設けられている。このことによって、記録媒体５が載置されていないプラテン３１の部位の真下に位置する分割空間に設けられた吸引装置３４を停止させることができる。本実施形態では、記録媒体５が載置されているプラテン３１の部位の真下に位置する分割空間に設けられた吸引装置３４のみを作動させることで、記録媒体５をプラテン３１に密着させながら搬送することができる。したがって、吸引装置３４が使用する電力を抑えることができる。
【００７４】
本実施形態では、複数の分割空間５２ａ〜５２ｅは、主走査方向Ｙに並んでいる。このことによって、記録媒体５の主走査方向Ｙの長さに応じて、作動させる吸引装置３４と、停止させる吸引装置３４とを選択することができる。例えば、主走査方向Ｙの長さが短い記録媒体５、例えば、分割空間５２ａ、５２ｂ、５２ｃ上のプラテン３１の部位のみに載置され、分割空間５２ｄ、５２ｅ上のプラテン３１の部位には載置されない記録媒体５の場合、分割空間５２ａ、５２ｂ、５２ｃの下方に位置する吸引装置３４を作動し、分割空間５２ｄ、５２ｅの下方に位置する吸引装置３４を停止するとよい。以上のように、記録媒体５の主走査方向Ｙの長さに応じて、吸引装置３４の作動の有無を制御することができるため、無駄な電力を使用することを抑制することができる。
【００７５】
本実施形態では、図５に示すように、プラテン３１の下方の空間５１を、プラテン３１と空間形成部材６０とによって仕切ることで容易に形成することができる。詳しくは、プラテン３１と、前壁６１と、後壁６２と、左壁６３（図７参照）と、右壁６４（図７参照）と、底壁６５とによって仕切ることで、空間５１を容易に形成することができる。
【００７６】
本実施形態では、図５に示すように、グリッドローラ３２における上部以外の部位は、プラテン３１と囲み部材７０とによって囲まれている。詳しくは、グリッドローラ３２は、プラテン３１と、前板７１と、後板７２と、底板７３とによって囲まれている。そして、第１吸引孔４２と第２吸引孔４３とは、外空間５１ａのうち底壁６５と底板７３との間の空間によって互いに連通している。そのため、吸引装置によって第１吸引孔４２と第２吸引孔４３の両方に吸引力を与え、グリッドローラ３２の上流側および下流側に位置する記録媒体５をプラテン３１に確実に密着させることができる。
【００７７】
本実施形態では、第１吸引孔４２は、平面視において、プラテン３１のうち前板７１よりも前方であって、前壁６１よりも後方の部位に形成されている。第２吸引孔４３は、平面視において、プラテン３１のうち後板７２よりも後方であって、後壁６２よりも前方の部位に形成されている。平面視において、プラテン３１のうち前板７１と後板７２との間の部位には、第１吸引孔４２および第２吸引孔４３が形成されていない。ここでは、前板７１と後板７２との間におけるプラテン３１の部位の下方にはグリッドローラ３２がプラテン３１と囲み部材７０によって囲まれている。そのため、前板７１と後板７２との間におけるプラテン３１の部位の下方近傍では、吸引装置３４によって空気は吸引されない。よって、吸引装置３４によって空気が吸引されない第１吸引孔４２および第２吸引孔４３は形成されないようにすることができる。
【００７８】
本実施形態では、吸引装置３４は、底壁６５に形成された吸引配置孔６８に吸引部３４ａが設けられるようにして、底壁６５の下面に取り付けられている。このことによって、吸引部３４ａがプラテン３１側に向くようにして吸引装置３４が配置される。したがって、吸引装置３４は、外空間５１ａの空気をより確実に吸引することができるため、記録媒体５をプラテン３１に密着させ易くすることができる。
【００７９】
本実施形態では、区切り部材６７は、スポンジによって形成されている。このことによって、プラテン３１の下方に形成された外空間５１ａを区切る際、区切り部材６７を最適な形状に形作ることが容易にできる。ここでは、区切り部材６７は、空間形成部材６０の左壁６３および右壁６４と同様の形状である。よって、区切り部材６７を左壁６３および右壁６４と同様に形状に容易にすることができる。
【００８０】
本実施形態では、囲み部材７０は、金属によって形成されている。このことによって、囲み部材７０を構成する部位の間に隙間が生じにくくなるため、吸引装置３４の吸引力が配置孔４１に与えられるのを防ぐことができる。
【００８１】
撓みにくい平板状の記録媒体５は、プラテン３１に密着させながら搬送されることで、より円滑に記録媒体５を搬送することができる。よって、本実施形態に係る媒体搬送装置３０は、平板状の記録媒体５に対して特に有用である。
【００８２】
上記実施形態では、吸引装置３４は、底壁６５に形成された吸引配置孔６８に吸引部３４ａが設けられるようにして、底壁６５の下面に取り付けられていた。しかし、吸引装置３４の配置位置は特に限定されない。例えば、吸引装置３４は、プラテン３１と空間形成部材６０とによって形成された外空間５１ａであって、分割空間５２ａ〜５２ｅ内に配置されていてもよい。例えば、吸引装置３４は、空間形成部材６０の底壁６５の上面に配置されていてもよい。このとき、吸引装置３４の吸引部３４ａは、上方に向かって開口していることが好ましい。
【００８３】
上記実施形態では、吸引装置３４は、分割空間５２ａ〜５２ｅごとに設けられていた。しかし、１つの吸引装置３４が、分割空間５２ａ〜５２ｅのうち複数の分割空間内から空気を吸引するようにして、吸引装置３４が配置されていてもよい。例えば、吸引配置孔６８は、隣り合う分割空間をまたがるようにして、底壁６５に形成され、その吸引配置孔６８に吸引装置３４の吸引部３４ａが設置されていてもよい。
【符号の説明】
【００８４】
１  印刷装置
１５  記録ヘッド
３０  媒体搬送装置
３１  プラテン
３２  グリッドローラ
３４  吸引装置
４１  配置孔
４２  第１吸引孔
４３  第２吸引孔
５１  空間
６０  空間形成部材
６７  区切り部材
７０  囲み部材
８０  制御装置
【図１】
0006563301.tif 000002
【図２】
0006563301.tif 000003
【図３】
0006563301.tif 000004
【図４】
0006563301.tif 000005
【図５】
0006563301.tif 000006
【図６】
0006563301.tif 000007
【図７】
0006563301.tif 000008
【図８】
0006563301.tif 000009
【図９】
0006563301.tif 000010